(57)【要約】      （修正有）【課題】移植片上または移植片内のカプセル内に含まれている一種または複数種の治療薬を放出するためのシステムの提供。【解決手段】少なくとも１つのカプセル４０が、移植片の長軸に沿って配置された凹部内に挿入される。該カプセルは、ホルダーによって、凹部内に挿入され、凹部内の適所に保持されるようになっている。複数のカプセルおよび複数のホルダーが、実質的に移植片の長軸に知って配置された１つまたは複数の凹部内に挿入される。該カプセルは、好ましくは、一種または複数種の治療薬を収容しているケーシングを有しており、一種または複数種の治療薬を放出させるために、少なくとも１つの固定具６０ａ、６０ｂによって突き刺されるように構成されている。カプセルのケーシングは、移植片の少なくとも一部に沿って長手方向孔を有している移植片内にカプセルを挿入するのを支援するためにガイドワイヤを受け入れる環状通路を形成していてもよい。【選択図】図２
2011125719.tif 000002
【特許請求の範囲】
【請求項１】
手術部位に材料を放出するためのシステムにおいて、
少なくとも１つの凹部を内部に有している移植片と、
材料を収容しているケーシングを有しているカプセルであって、前記移植片の前記少なくとも１つの凹部内に受け入れられるようにされている、カプセルと、
端部分を有している突刺し部材と、
を備えており、
前記突刺し部材の前記端部分は、前記カプセルの前記ケーシング内に収容されている前記材料を放出するために、前記カプセルの前記ケーシングを突き刺すように構成されていることを特徴とするシステム。
【請求項２】
前記突刺し部材は、固定具であることを特徴とする、請求項１に記載のシステム。
【請求項３】
前記固定具は、骨ネジであることを特徴とする、請求項２に記載のシステム。
【請求項４】
前記材料は、治療薬を含んでいることを特徴とする、請求項１に記載のシステム。
【請求項５】
前記材料は、接着剤をさらに含んでおり、前記接着剤は、前記接着剤が前記カプセルから最初に放出された後に硬化したとき、前記突刺し部材を前記移植片の前記少なくとも１つの凹部内に固定するように構成されていることを特徴とする、請求項４に記載のシステム。
【請求項６】
治療カプセルを収容するための移植片において、
少なくとも部分的に内部を貫通している長手方向孔と、第１の骨ネジ受入れ開口および第２の骨ネジ受入れ開口とを有している細長シャフトであって、前記開口は、各々、前記長手方向孔を横断して延在している、細長シャフトと、
を備えており、
治療薬を収容しているケーシングを有している前記治療カプセルは、前記孔内に位置決めされており、前記第１の開口および前記第２の開口の両方に連通していることを特徴とする移植片。
【請求項７】
前記細長シャフトの前記長手方向孔内に受け入れられるようにされたホルダーであって、前記治療カプセルを受け入れ、前記カプセルが前記第１の開口および前記第２の開口の両方に連通するように、前記カプセルを前記第１の開口および前記第２の開口内に少なくとも部分的に位置決めするように構成されている、ホルダー
をさらに備えていることを特徴とする、請求項６に記載の移植片。
【請求項８】
前記細長シャフトの前記長手方向孔内に受け入れられるようにされたホルダー
をさらに備えており、
前記ホルダーは、第１の端および第２の端を有しており、前記端の各々は、前記治療カプセルを前記第１の開口または前記第２の開口のいずれかの内に少なくとも部分的に位置決めするように前記カプセルを保持するための凹部を有していることを特徴とする、請求項６に記載の移植片。
【請求項９】
前記長手方向孔は、前記釘開口に隣接してネジ山が付されており、前記ホルダーは、ねじ込まれ、前記細長シャフトの前記長手方向孔にネジ結合するように構成されていることを特徴とする、請求項８に記載の移植片。
【請求項１０】
前記治療カプセルは、接着剤も含んでいることを特徴とする、請求項９に記載の移植片。
【請求項１１】
第１の治療カプセルと、
第２の治療カプセルと、
をさらに備えており、
前記ホルダーは、第１の治療カプセルおよび第２の治療カプセルの両方を受け入れて、前記第１の治療カプセルを前記第１の開口内に少なくとも部分的に位置決めし、前記第２の治療カプセルを前記第２の開口内に少なくとも部分的に位置決めするように構成されていることを特徴とする、請求項９に記載の移植片。
【請求項１２】
前記第１の治療カプセルおよび前記第２の治療カプセルは、各々、接着剤も含んでいることを特徴とする、請求項１１に記載の移植片。
【請求項１３】
骨釘において、
近位端から遠位端に延在している長軸を有している細長シャフトであって、前記シャフトは、前記シャフトの前記長軸を横断している軸を有している複数の固定具受入れ開口と、各固定具受入れ開口に連通している少なくとも１つの凹部とを有しており、前記凹部の    
各々は、前記シャフトの前記長軸と直交している軸を有している、細長シャフトと、
治療薬を収容しているケーシングを有している少なくとも１つの治療カプセルと、
前記細長シャフトの凹部内に少なくとも部分的に内側に受け入れられるようにされたホルダーであって、前記カプセルを受け入れて前記カプセルを前記少なくとも１つの開口内に少なくとも部分的に位置決めするように構成された少なくとも１つの凹部を有している、ホルダーと、
を備えていることを特徴とする骨釘。
【請求項１４】
前記カプセルは、接着剤も含んでいることを特徴とする、請求項１３に記載の骨釘。
【請求項１５】
前記ホルダーは、円筒状であることを特徴とする、請求項１３に記載の骨釘。
【請求項１６】
前記ホルダーは、ネジ山が付されており、かつ前記細長シャフトの前記少なくとも１つの凹部は、ネジ山が付されており、前記ホルダーは、前記少なくとも１つの凹部にネジ係合されるように構成されていることを特徴とする、請求項１３に記載の骨釘。
【請求項１７】
前記骨釘は、第１の横断開口および第２の横断開口を有しており、前記ホルダーは、前記第１の横断開口および前記第２の横断開口に連通するように、前記少なくとも１つの凹部内に位置決めされており、前記ホルダーは、第１の凹部および第２の凹部を有しており、前記凹部の各々は、カプセルを受け入れるように構成されていることを特徴とする、請求項１３に記載の骨釘。
【請求項１８】
前記第１のカプセルは、前記第１の横断開口内に少なくとも部分的に位置決めされており、前記第２のカプセルは、前記第２の横断開口内に少なくとも部分的に位置決めされていることを特徴とする、請求項１７に記載の骨釘。
【請求項１９】
前記第１のカプセルおよび前記第２のカプセルは、各々、接着剤も含んでいることを特徴とする、請求項１８に記載の骨釘。
【請求項２０】
移植片への治療薬の放出を調整するための方法において、
前記移植片を骨に隣接して位置決めすることであって、前記移植片は、細長固定具を受け入れるための少なくとも１つの開口と、前記開口に連通している内側凹部とを備えていることと、
治療カプセルを前記内側凹部内に配置することであって、前記カプセルは、前記少なくとも１つの開口内に少なくとも部分的に延在するようになっており、前記カプセルは、前記治療薬を収容しているケーシングを有しており、前記ケーシングは、固定具によって突き刺されるように構成されていることと、
前記固定具を前記少なくとも１つの開口内に挿入することと、
前記治療薬が、前記移植片の前記少なくとも１つの開口の位置に隣接している前記カプセルの箇所から放出されるように、前記カプセルを前記固定具の少なくとも一部によって突き刺すことと、
を含んでいることを特徴とする方法。
【請求項２１】
前記移植片は、髄内釘であることを特徴とする、請求項２０に記載の方法。
【請求項２２】
前記凹部は、前記髄内釘の長さに沿って少なくとも部分的に延在している長手方向孔であることを特徴とする、請求項２１に記載の方法。
【請求項２３】
前記カプセルを前記固定具によって突き刺す前に、保持リングを前記カプセルの前記ケーシングの周囲に配置することであって、前記保持リングは、前記カプセルの位置を前記髄内釘の前記長手方向孔内に保持するのを支援するように構成されていること、
をさらに含んでいることを特徴とする、請求項２２に記載の方法。
【請求項２４】
前記移植片は、細長固定具を各々が受け入れるようにされた複数の開口と、各開口に連通している内側凹部と、を有しており、
前記方法は、
カプセルを各開口に連通している前記内側凹部内に配置すること、
をさらに含んでおり、
各カプセルは、各開口内に少なくとも部分的に延在していることを特徴とする、請求項２０に記載の方法。
【発明の詳細な説明】
【技術分野】
【０００１】
本発明は、手術部位および髄内釘のような整形外科用移植片の内または上に治療薬を放出するためのシステムおよび方法に関する。具体的には、本発明は、移植片内の固定具受入れ開口に隣接して配置されたカプセルの内側に治療薬を設け、カプセルの内側の治療薬が放出されるように、カプセルを固定具によって突き刺すことに関する。
【背景技術】
【０００２】
一種または複数種の治療薬が、例えば、手術部位における感染に対処するのを助長するために、単独で施されるかまたは整形外科用移植片と一緒に施されることがある。このような治療薬は、一般的に、移植片が患者の体の内または上に移植される前に、単独でまたは何らかの方法によって移植片に関連して施されるようになっている。しかし、このような治療薬は、移植の後に施されることもある。
【０００３】
移植片が移植される前に、抗生物質のような治療薬が、移植片の外面に噴霧被覆されることがある。例えば、抗生物質の量、抗生物質が施される移植片の内または上の位置、および抗生物質の噴霧の速度は、一般的に、抗生物質が移植片に噴霧される前に決定されている。これらの因子を変更することによって、治療薬の治療効果も、変更されることになる。代わって、抗生物質が移植片の内面および外面に迅速かつ容易に施されるように、移植片は、例えば、抗生物質の浴内に浸漬されることもある。一種または複数種の治療薬が、多分前述した噴霧または浴浸漬を介して、移植片上に層状に施されてもよいし、それに代わって、これらの治療薬が組み合わされて、移植片に施される溶液または化合物を形成するようになっていてもよい。
【０００４】
移植片が移植された後、抗生物質のような治療薬が、骨ネジのような固定具によって、手術部位またはその手術部位の移植片上に供給されることもある。このような場合、移植片を患者の体の内または上の特定位置に固定するために固定具が用いられる前に、該固定具が、例えば、抗生物質によって噴霧されてもよいし、または抗生物質の浴内に浸漬されてもよい。
【０００５】
移植片に直接施されようとまたは固定具を介して手術部位に導入されようと、治療薬によっては、治療薬の所定の量が略特定の時間間隔で手術部位に供給されるように、徐放されるようになっている。このような場合、治療薬は、移植片が患者の体の内または上に移植される前に該移植片に施され、次いで、徐放され、例えば、移植された後１２時間にわたって手術部位に治療効果をもたらすようになっているとよい。移植片に施される治療薬の一部が、その１２時間の期間に放出され、治療薬の一部または複数の部分が、さらに一時間以上後に放出されるようになっていてもよい。
【０００６】
代替的に、移植片が、一種または複数種の治療薬を収容している内部貯蔵部を備えていることもある。貯蔵部の内側の治療薬は、一般的に、移植片が患者の体の内または上に移植された後、手術部位に放出されるようになっている。治療薬は、例えば、貯蔵部の小さい開口を介して貯蔵部から外に浸出され、これによって、治療薬の放出を調整するようになっているとよい
【発明の概要】
【０００７】
本発明の第１の態様は、手術部位に材料を放出するためのシステムにおいて、少なくとも１つの凹部を内部に有している移植片と、材料を収容しているケーシングを有しているカプセルであって、移植片の少なくとも１つの凹部内に受け入れられるように適合されているカプセルと、端部分を有している突刺し部材と、を備えており、突刺し部材の端部分は、カプセルのケーシング内に収容されている材料を放出するためにカプセルのケーシングを突き刺すように構成されている、システムである。
【０００８】
本発明のこの第１の態様の一実施形態によれば、突刺し部材は、固定具である。他の実施形態では、固定具は、骨ネジであってもよい。
【０００９】
本発明のこの第１の態様の他の実施形態によれば、材料は、治療薬を含んでいる。他の実施形態では、材料は、接着剤をさらに含んでおり、接着剤は、接着剤がカプセルから最初に放出された後に硬化したとき、突刺し部材を移植片の少なくとも１つの凹部内に固定するように構成されている。
【００１０】
本発明の第２の態様は、治療カプセルを収容するための移植片において、少なくとも部分的に内部を貫通している長手方向孔と、第１の骨ネジ受入れ開口および第２の骨ネジ受入れ開口と、を有している細長シャフトを備えている移植片である。好ましくは、開口は、各々、長手方向孔を横断して延在している。治療薬を収容しているケーシングを有している治療カプセルは、孔内に位置決めされており、好ましくは、第１の開口および第２の開口の両方に連通している。
【００１１】
本発明のこの第２の態様の一実施形態によれば、移植片は、細長シャフトの長手方向孔内に受け入れられるようにされたホルダーであって、治療カプセルを受け入れ、カプセルが第１の開口および第２の開口の両方に連通するように、カプセルを第１の開口および第２の開口内に少なくとも部分的に位置決めすべく構成されている、ホルダーをさらに備えている。
【００１２】
本発明のこの第２の態様の他の実施形態によれば、移植片は、細長シャフトの長手方向孔内に受け入れられるようにされたホルダーをさらに備えており、ホルダーは、第１の端および第２の端を有しており、該端の各々は、治療カプセルを第１の開口または第２の開口のいずれかの内に少なくとも部分的に位置決めするようにカプセルを保持するための凹部を有している。
【００１３】
本発明のこの第２の態様のさらに他の実施形態によれば、長手方向孔は、釘開口に隣接してネジ山が付されており、ホルダーは、ねじ込まれ、細長シャフトの長手方向孔にネジ結合するように構成されている。他の実施形態では、治療カプセルは接着剤も含んでいてもよい。
【００１４】
本発明のこの第２の態様のさらに他の実施形態によれば、移植片は、第１の治療カプセルと、第２の治療カプセルとをさらに備えており、ホルダーは、第１の治療カプセルおよび第２の治療カプセルの両方を受け入れて、第１のカプセルを第１の開口内に少なくとも部分的に位置決めし、第２のカプセルを第２の開口内に少なくとも部分的に位置決めするように、構成されている。他の実施形態では、第１の治療カプセルおよび第２の治療カプセルは、各々、接着剤も含んでいる。
【００１５】
本発明の第３の態様は、骨釘において、近位端から遠位端に延在している長軸を有している細長シャフトであって、該シャフトは、シャフトの長軸を横断している軸を有している複数の固定具受入れ開口と、各固定具受入れ開口に連通している少なくとも１つの凹部と、を有しており、凹部の各々は、好ましくはシャフトの長軸と直交する軸を有している、細長シャフトを備えている、骨釘である。骨釘は、治療薬を収容しているケーシングを有している少なくとも１つの治療カプセルと、細長シャフトの凹部内に少なくとも部分的に受け入れられるようにされたホルダーであって、カプセルを受け入れてカプセルを少なくとも１つの開口内に少なくとも部分的に位置決めするように構成された少なくとも１つの凹部を有している、ホルダーと、をさらに備えている。他の実施形態では、カプセルは、好ましくは、接着剤も含んでいる。他の実施形態では、ホルダーは、好ましくは、円筒状である。
【００１６】
本発明のこの第３の態様の一実施形態によれば、ホルダーは、ネジ山が付されており、かつ細長シャフトの少なくとも１つの凹部は、ネジ山が付されており、ホルダーは、少なくとも１つの凹部にネジ係合されるように構成されている。
【００１７】
本発明のこの第３の態様の他の実施形態によれば、骨釘は、第１の横断開口および第２の横断開口を有しており、ホルダーは、第１の横断開口および第２の横断開口に連通するように、少なくとも１つの凹部内に位置決めされており、ホルダーは、第１の凹部および第２の凹部を有しており、該凹部の各々は、カプセルを受け入れるように構成されている。
【００１８】
本発明のこの第３の態様のさらに他の実施形態によれば、骨釘は、第１の横断開口内に少なくとも部分的に位置決めされた第１のカプセルと、第２の横断開口内に少なくとも部分的に位置決めされた第２のカプセルと、をさらに備えている。他の実施形態では、第１のカプセルおよび第２のカプセルは、好ましくは、各々、接着剤も含んでいる。
【００１９】
本発明の第４の態様は、移植片への治療薬の放出を調整するための方法である。この方法は、移植片を骨に隣接して位置決めすることであって、移植片は、細長固定具を受け入れるための少なくとも１つの開口と、該開口に連通している内側凹部と、を備えていることを含んでいる。この方法は、治療カプセルを内側凹部内に配置することであって、カプセルは、少なくとも１つの開口内に少なくとも部分的に延在するようになっており、カプセルは、治療薬を収容しているケーシングを有しており、ケーシングは、固定具によって突き刺されるように構成されている、ことをさらに含んでいる。この方法は、固定具を前記少なくとも１つの開口内に挿入することと、治療薬が、移植片の少なくとも１つの開口の位置に隣接しているカプセルの箇所から放出されるように、カプセルを固定具の少なくとも一部によって突き刺すことと、をさらに含んでいる。
【００２０】
本発明のこの第４の態様の一実施形態によれば、移植片は、髄内釘であり、凹部は、髄内釘の長さに沿って少なくとも部分的に延在している長手方向孔である。
【００２１】
本発明のこの第４の態様の他の実施形態によれば、この方法は、カプセルを固定具によって突き刺す前に、保持リングをカプセルのケーシングの周囲に配置することであって、保持リングは、カプセルの位置を髄内釘の長手方向孔内に保持するのを支援するように構成されている、ことをさらに含んでいる。
【００２２】
他の実施形態では、移植片は、細長固定具を各々が受け入れるように適合された複数の開口と、各開口に連通している内側凹部と、を有している。この方法は、カプセルを各開口に連通している内側凹部内に配置することをさらに含んでおり、各カプセルは、各開口内に少なくとも部分的に延在している。
【００２３】
本発明の主題およびその種々の利点のさらに完全な理解は、添付の図面に基づいて、以下の詳細な説明を参照することによって、得られるだろう。
【図面の簡単な説明】
【００２４】
【図１】カプセルが内部に配置されている髄内釘の長手方向孔の実施形態を示す断面図である。
【図２】２つの固定具の先端の各々が髄内釘の開口内に位置している、図１に示されている髄内釘の断面図である。
【図３】カプセルが２つの固定具によって突き刺されている、図２に示されているカプセル、髄内釘、および２つの固定具の断面図である。
【図４】髄内釘の開口に隣接する凹部内に各々配置されている複数のカプセルを備えている髄内釘の実施形態を示す断面図である。
【図４Ａ】図４の線Ａ−Ａに沿った髄内釘の断面図である。
【図５】本発明のカプセルの実施形態を示す断面図である。
【図６】複数のカプセルの２つが髄内釘の開口内に位置する固定具に突き刺されている、図４に示されている髄内釘の断面図である。
【図７】カプセルが内部に部分的に配置されているホルダーの実施形態を示す断面図である。
【図８】挿入器具がホルダーに係合しようとしている、図７に示されているホルダーの断面図である。
【図８Ａ】図８に示されているホルダーに係合された挿入器具を示す断面図である。
【図９】髄内釘の長手方向孔に配置された、図７に示されているホルダーおよびカプセルの複数個を有している髄内釘の代替的実施形態を示す断面図である。
【図１０】図９の線Ｂ−Ｂに沿った髄内釘の断面図である。
【図１１】複数のカプセルの１つが髄内釘の開口内に位置する固定具によって突き刺されている、図９に示されている髄内釘の断面図である。
【図１２】カプセルの代替的実施形態を示す斜視図である。
【図１３】図１２に示されているカプセルの線Ｃ−Ｃに沿った断面図である。
【図１４】髄内釘、ガイドワイヤ、および図１２に示されているカプセルの断面図である。
【図１５】図１４に示されている髄内釘の長手方向孔内に配置されたカプセルの断面図である。
【発明を実施するための形態】
【００２５】
骨または体の他の部分に言及する場合に本明細書において用いられる「近位側（ｐｒｏｘｉｍａｌ）」という用語は、心臓により近い方を意味し、「遠位側（ｄｉｓｔａｌ）」という用語は、心臓からより遠い方を意味している。「下側（ｉｎｆｅｒｉｏｒ）」という用語は、足に向かう方を意味し、「上側（ｓｕｐｅｒｉｏｒ）」という用語は、頭に向かう方を意味している。「前側（ａｎｔｅｒｉｏｒ）」という用語は、体の正面部または顔に向かう方を意味し、「後側（ｐｏｓｔｅｒｉｏｒ）」という用語は、体の背面部に向かう方を意味している。「内側（ｍｅｄｉａｌ）」という用語は、体の正中線に向かう方を意味し、「外側（ｌａｔｅｒａｌ）」という用語は、体の正中線から離れる方を意味している。
【００２６】
図面について説明する。なお、図面において、同様の参照番号は、同様の要素を指すものとする。これらの図面では、本発明の実施形態に基づいて、治療薬放出システムが参照番号１０によって総称的に示されている。図１〜図３は、治療薬放出システム１０について言及している。好ましくは、治療薬放出システム１０は、移植片、例えば、髄内釘２０の一部と、治療薬を含んでいる少なくとも１つのカプセル４０と、少なくとも１つの固定具６０と、を備えている。図２および図３には、２つの固定具６０ａ，６０ｂが示されている。
【００２７】
図１〜図３は、髄内釘の一部としての治療薬放出システム１０の形態にある移植片を示しているが、治療薬放出システム１０は、患者の体の内または上に移植されることが可能などのような形式の移植片を含むこともできる。例えば、治療薬放出システム１０は、膝移植片、臀部移植片、肩移植片、または脊椎移植片に設けられてもよい。好ましくは、治療薬放出システム１０は、治療薬を手術部位に放出することが有益と見込まれるどのような移植片内に設けられてもよい。
【００２８】
治療薬をカプセル内に含ませることは、手術部位への治療薬の放出を調整するのに有益な手段である。例えば、外科医または任意の他の手術室関係者は、カプセルを突き刺すことによって、外科手術中の特定の時期にカプセル内に含まれている治療薬を放出することができる。好ましくは、カプセルは、移植片を手術部位に固定するように構成された固定具によって、突き刺されるようになっている。カプセルは、他の手段を用いて、例えば、先の尖った器具によって、突き刺されるようになっていてもよい。また、放出される治療薬の量は、カプセルの大きさによって、予め定められているとよい。ある特定の移植片および／またはある特定の手術部位に有益と見なされる治療薬の量に基づいて、カプセル内に含まれる治療薬の量または移植片に設けられるカプセルの数が変更されるようになっていてもよい。また、カプセル内に含まれる治療薬の粘度によって、カプセルから放出される治療薬の流量が調整されるようになっていてもよい。
【００２９】
図１〜図３に示されているように、髄内釘２０は、好ましくは、患者の大腿骨の管内に収容されるように構成された細長シャフトである。好ましくは、髄内釘２０は、その長さに沿って少なくとも部分的に長手方向孔２２を備えている。孔２２は、軸２３を有するものとして示されている。軸２３は、図１〜図３では直線として示されているが、もし釘２０の長さの一部が湾曲しているなら、軸２３も湾曲することになる。釘２０は、好ましくは、少なくとも第１の骨ネジ受入れ開口２６ａおよび第２の骨ネジ受入れ開口２６ｂをさらに備えている。好ましくは、開口２６ａ，２６ｂは、各々、髄内釘２０の長手方向孔２２を横断して延在している。
【００３０】
カプセル４０は、好ましくは、治療薬を収容している外側ケーシングを備えている。カプセルの外側ケーシングは、好ましくは、例えば、固定具６０ａ，６０ｂのような固定具によって容易に突き刺されるように、薄くなっている。図１に示されているように、カプセル４０は、治療薬を収容するためのチャンバを形成している。代替的に、カプセルは、図２に示されているように、２つのチャンバ４４，４６を備えていてもよいし、または３つ以上のチャンバを備えていてもよい。バリア壁４８が、カプセル４０内に含まれている治療薬を第１のチャンバ４４内と第２のチャンバ４６内とに分けている。カプセル４０は、複数のチャンバを形成するために、２つ以上のバリア壁４８をさらに備えていてもよい。第１の治療薬が、第１のチャンバ４４内に含まれ、第２の治療薬が、第２のチャンバ内に含まれていてもよい。また、２つ以上の治療薬または治療薬の化合物の溶液が、第２のチャンバ４４または第２のチャンバ４６のいずれかに含まれていてもよい。
【００３１】
図２の実施形態に示されているように、カプセル４０は、孔２２内に位置決めされており、第１の開口２６ａおよび第２の開口２６ｂの両方に連通している。カプセル４０の第１のチャンバ４４および第２のチャンバ４６は、バリア壁４８によって、互いに分離されている。この実施形態では、例えば、第１のチャンバ４４は、固定具６０Ａによって突き刺されるが、第２のチャンバ４６は、固定具６０Ａによって突き刺されないようになっており、この逆に、第２のチャンバ４６は、例えば、固定具６０Ｂによって突き刺されるが、第１のチャンバ４４は、固定具６０Ｂによって突き刺されないようになっている。
【００３２】
図３に示されているように、固定具６０ａ，６０ｂが、カプセル４０を突き刺しており、これによって、治療薬が、好ましくは、固定具６０ａ，６０ｂをその長さに沿って包囲している。好ましくは、固定具６０ａ，６０ｂは、各固定具６０ａ，６０ｂのヘッド６１ａ，６１ｂが患者の骨（図示せず）の外面上に着座するまで、開口２６ａ，２６ｂ内に受け入れられるようになっている。カプセル４０の内側に置かれた治療薬の化学的および／または物理的特性によって、治療薬は、好ましくは、固定具６０ａ，６０ｂを包囲し、釘２０の他の内面および外面および／または手術部位に隣接する箇所に流れることになる。
【００３３】
図４〜図６は、治療薬放出システム１００について言及している。好ましくは、治療薬放出システム１００は、髄内釘１２０と、少なくとも１つのカプセル１４０と、少なくとも１つの固定具１６０と、を備えている。
【００３４】
髄内釘１２０は、患者の太腿骨の管内に収容されるように構成された好ましくは細長のシャフトである。好ましくは、髄内釘１２０は、その長さに沿って少なくとも部分的に少なくとも２つの長手方向凹部または孔１２２，１２４を備えている。この実施形態では、凹部または孔１２２は、釘１２０のかなりの長さに沿って延在せず、好ましくは、釘１２０の長さに沿って、凹部１２２を凹部１２４から分離する壁１２７によって、遮断されている。好ましくは、凹部１２２，１２４の各々は、軸１２３を有するものとして示されている。軸１２３は、図４〜図６では直線として示されているが、もし釘１２０の長さの一部が湾曲しているなら、軸１２３も湾曲することになる。髄内釘１２０は、好ましくは、少なくとも第１骨ネジ受入れ開口１２６ａおよび第２の骨ネジ受入れ開口１２６ｂをさらに備えている。好ましくは、開口１２６ａ，１２６ｂは、各々、髄内釘１２０の長手方向孔１２２を横断して延在している。
【００３５】
カプセル１４０は、好ましくは、治療薬を収容している外側ケーシングを備えている。カプセルの外側ケーシングは、好ましくは、例えば、固定具１６０のような固定具によって容易に突き刺されるように、薄くなっている。図５に示されているように、カプセル１４０は、治療薬を収容するためのチャンバ１４４を形成している。代替的に、カプセル１４０は、２つ以上のチャンバを備えていてもよい。例えば、カプセル１４０に含まれている治療薬剤を第１のチャンバ内と第２のチャンバ内とに分けるために、バリア壁が用いられてもよい。カプセル１４０は、複数のチャンバを形成するために、２つ以上のバリア壁をさらに備えていてもよい。
【００３６】
図４に示されているように、複数のカプセル１４０が、釘１２０の凹部１２２，１２４内に配置されている。カプセル１４０は、カプセル１４０の一部が釘１２０の固定具受入れ開口１２６ａ，１２６ｂ内に位置するように、凹部１２２，１２４内に配置されている。図４Ａは、例えば、凹部１２４内に配置されたカプセル１４０を示す断面図である。図５は、凹部１２４内に配置されたカプセル１４０を示す詳細図であり、この図では、釘１２０の固定具受入れ開口１２６ｂ内に位置するカプセル１４０の一部が、明瞭に示されている。カプセル１４０内に含まれている治療薬の特性および釘１２０の固定具受入れ開口内に位置するカプセル１４０の場所によって、好ましくは、どのくらいの量の治療薬が、釘１２０の固定具受入れ開口内のカプセル１４０を突き刺す固定具と接触するかが決定されることになる。
【００３７】
図６に示されているように、固定具１６０が、固定具受入れ開口１２６ａ内のカプセル４０を突き刺しており、これによって、治療薬が、好ましくは、固定具１６０をその長さに沿って包囲している。好ましくは、固定具１６０は、固定具１６０のヘッド１６１が患者の骨（図示せず）の外面上に着座するまで、開口１２６ａ，１２６ｂ内に受け入れられるようになっている。カプセル１４０の内側に置かれた治療薬の化学的特性および物理的特性によって、治療薬は、好ましくは、固定具１６０ａ，１６０ｂを包囲し、釘１２０の他の内面および外面および／または手術部位に隣接する箇所に流れることになる。
【００３８】
図７〜図１１は、治療薬放出システム２００について言及している。好ましくは、治療薬放出システム２００は、髄内釘２００と、少なくとも１つのカプセル２４０と、少なくとも１つのカプセルホルダー２７０と、少なくとも１つの固定具２６０と、を備えている。２つの固定具２６０ａ，２６０ｂが、図９に示されている。また、治療薬放出システム２００は、カプセルホルダー２７０に係合し、操作するための挿入器具２９０を備えていてもよい。
【００３９】
図７〜図８Ａは、カプセル２４０と、カプセルホルダー２７０と、挿入器具２９０と、を示している。図７に示されているように、カプセル２４０は、好ましくは、治療薬を収容している外側ケーシング２４２を備えている。カプセル２４０の外側ケーシング２４２は、好ましくは、例えば、図９に示されている固定具２６０ａ，２６０ｂのような固定具によって容易に突き刺されるように、薄くなっている。カプセル２４０は、好ましくは、治療薬を収容するためのチャンバ２４４を形成している。代替的に、カプセル２４０は、２つ以上のチャンバを備えていてもよい。例えば、カプセル２４０の治療薬を第１のチャンバ内と第２のチャンバ内とに分けるために、バリア壁が用いられてもよい。カプセル２４０は、複数のチャンバを形成するために、２つ以上のバリア壁をさらに備えていてもよい。
【００４０】
図８では、挿入器具２９０は、図８Ａに示されているようにカプセルホルダー２７０に係合されるのに先立ってカプセルホルダー２７０と真っ直ぐに並んでいる状態で示されている。挿入器具２９０は、好ましくは、カプセルホルダー２７０の対応する端２７４に係合するように構成された係合端２９２を有している。挿入器具２９０とカプセルホルダー２７０との間の係合は、圧入、ネジ係合、またはロック嵌合、例えば、ボール・デテント式接続部によって、行われるとよい。
【００４１】
ホルダー２７０は、第１の端２７１および第２の端２７２を有している。これらの端２７１，２７２の各々は、カプセル２４０を収容するための凹部２７６を有している。凹部２７６は、ホルダー２７０の第１の端２７１および第２の端２７２を通過する孔であってもよい。図８に示されているように、ホルダー２７０は、釘２２０内の対応するネジ部に係合するように構成された雄ネジ部２８０を備えているとよい。ホルダー２７０は、好ましくは、円筒状である。
【００４２】
治療薬放出システム２００では、髄内釘２２０は、患者の太腿骨の管内に収容されるように構成された好ましくは細長のシャフトである。好ましくは、髄内釘２２０は、その長さに沿って少なくとも部分的に少なくとも２つの長手方向凹部または孔２２２，２２４を備えている。この実施形態では、凹部または孔２２２は、釘２２０のかなりの長さに沿って延在せず、好ましくは、釘２２０の長さに沿って、凹部２２２を凹部２２４から分離する壁２２７によって遮断されている。好ましくは、各凹部２２２，２２４は、軸２２３を有するものとして示されている。軸２２３は、図９および図１１では直線として示されているが、もし釘２２０の長さの一部が湾曲しているなら、湾曲することになる。髄内釘２２０は、好ましくは、少なくとも第１の骨ネジ受入れ開口２２６ａおよび第２の骨ネジ受入れ開口２２６ｂをさらに備えている。好ましくは、開口２２６ａ，２２６ｂは、各々、髄内釘２２０の凹部２２２，２２４を横断して延在している。
【００４３】
図９に示されているように、ホルダー２７０内に各々収容されている複数のカプセル２４０は、釘２２０の凹部２２２，２２４内に配置されている。カプセル２４０を収容しているホルダー２７０は、カプセル２４０の一部が釘２２０の固定具受入れ開口２２６ａ，２２６ｂ内に位置するように、凹部２２２，２２４内に配置されている。図１０Ａは、例えば、凹部２２４内に配置されたカプセル２４０を示す断面図である。
【００４４】
図１１に示されているように、固定具２６０ａが、固定具受入れ開口２２６ａ内のカプセル２４０を突き刺しており、これによって、カプセル内に収容されていた治療薬が、好ましくは、固定具２６０ａをその長さに沿って包囲している。好ましくは、固定具２６０ａは、固定具２６０ａのヘッド２６１が患者の骨（図示せず）の外面上に着座するまで、開口２２６ａ内に受け入れられるようになっている。カプセル２４０の内側に置かれた治療薬の化学的特性および物理的特性によって、治療薬は、好ましくは、例えば、固定具２６０ａを包囲し、釘２２０の他の内面および外面および／または手術部位に隣接する箇所に流れることになる。
【００４５】
凹部２２２，２２４は、図１１では、ネジ山が付されているものとして示されており、これによって、ホルダー２７０に係合された挿入器具２９０を回転させ、ホルダー２７０を凹部２２２，２２４内の適所にねじ込むことができる。ホルダー２７０は、釘２０，１００，２００の細長シャフトの長手方向孔２２または凹部１２２，１２４，２２２，２２４内に受け入れられるように構成されている。
【００４６】
一実施形態では、釘２０は、第１の横断開口２６ａおよび第２の横断開口２６ｂを備えており、ホルダー２７０は、第１の横断開口２６ａおよび第２の横断開口２６ｂと連通するように、釘２０の長手方向孔２２内に配置されるようになっている。ホルダー２７０は、第１および第２の凹部２７２を有しており、第１および第２の凹部２７２の各々は、カプセル４０，１４０，２４０を受け入れるように構成されている。
【００４７】
図１２〜図１５は、治療薬放出システム３００について言及している。好ましくは、治療薬放出システム３００は、髄内釘３２０と、少なくとも１つのカプセル３４０と、少なくとも１つの固定具３６０（図示せず）と、を備えている。
【００４８】
髄内釘３２０は、好ましくは、患者の太腿骨の管内に収容されるように構成された細長シャフトである。好ましくは、髄内釘３２０は、その長さに沿って少なくとも部分的に長手方向孔３２２を備えている。長手方向孔３２２は、好ましくは、カプセル３４０から延在している保持部３６６を受け入れるようにされた少なくとも１つの凹部３２１を備えている。髄内釘３２０は、好ましくは、少なくとも第１の骨ネジ受入れ開口３２６ａおよび第２の骨ネジ受入れ開口３２６ｂをさらに備えている。好ましくは、開口３２６ａ，３２６ｂは、各々、髄内釘３２０の長手方向孔３２２を横断して延在している。
【００４９】
カプセル３４０は、好ましくは、第１の端３４４および第２の端３４６を有する長手方向延在外壁３４２を備えている。カプセル３４０は、好ましくは、外壁３４２から離間した長手方向延在内壁３４８をさらに備えており、内壁３４８は、第１の端３５０および第２の端３５２を有している。外壁および内壁のそれぞれの第１の端および第２の端は、好ましくは、シールされており、これによって、シールされた外壁および内壁は、細長チャンバ３５４を画定することになる。好ましくは、治療薬３４１が、密閉チャンバ３５４内に含まれている。内壁３４８は、カプセル３４０の長さに沿って内壁３４８の第１の端３５０および第２の端３５２を通過する通路３５６を形成している。
【００５０】
図１５に示されているように、治療薬３４１を含んでいる密閉チャンバ３５４は、好ましくは、バリア壁３６４によって互いに分離された第１の長手方向区域３６０および第２の長手方向区域３６２を備えており、これによって、第１の区域３４１ａ内の治療薬は、第２の区域３４２ｂ内の治療薬から分離されることになる。好ましくは、バリア壁３６４は、カプセル３４０の長さに沿って中間部に配置されている。好ましくは、カプセル３４０の外壁３４２は、外壁３４２から外方に延在している周方向隆起または保持部３６６を有している。
【００５１】
好ましくは、カプセル３４０の外壁３４２および内壁３４８は、実質的に円筒状であり、かつ通路３２２は、実質的に円筒状であり、これによって、密閉チャンバ３５４は、環状になっている。
【００５２】
好ましくは、カプセル３４０は、第１の端壁３６８および第２の端壁３７０を備えている。外壁３４２および内壁３４８のそれぞれの第１の端３４４，３５０に位置する環状チャンバ３５４の第１の端は、第１の端壁３６８によってシールされており、外壁３４２および内壁３４８のそれぞれの第２の端３４６，３５２に位置する環状チャンバ３５４の第２の端は、第２の端壁３７０によってシールされている。
【００５３】
図１４および図１５に示されているように、カプセル３４０を釘３２０内の適所に配置するために、ガイドワイヤ３８０の一部がカプセル３４０の通路３５６内を貫通するようになっている。ガイドワイヤ３８０は、カプセル３４０の内壁３４８と係合することを可能としながら、通路３５６内を貫通するのに十分な直径を有している。いったんカプセル３４０がガイドワイヤ３８０に係合されると、このカプセル３４０は、釘３２０の長手方向孔３２２内に受け入れられることが可能になる。好ましくは、ガイドワイヤ３８０は、図１４に示されているように、保持リング３６６が長手方向孔３２２の凹部３２３に係合するまで、釘３２０の長手方向孔３２２に通されることになる。
【００５４】
図１５に示されているように、いったんカプセル３４０が適所に配置されたなら、ガイドワイヤ３８０は、カプセル３４０を残して、釘３２０の長手方向孔３２２から取り外されるとよい。図３に示されている実施形態と同じように、固定具３６０ａ，３６０ｂ（図示せず）が、それぞれ、カプセル３４０を突き刺すように、釘３２０の開口３２６ａ，３６０ｂ内に配置されるとよい。好ましくは、カプセル３４０を固定具３６０ａ，３６０ｂによって突き刺した後、環状チャンバ内に収容されている治療薬３４１が、好ましくは、固定具３６０ａ，３６０ｂをその長さに沿って包囲することになる。好ましくは、固定具３６０ａ，３６０ｂは、各固定具のヘッド３６１が患者の骨（図示せず）の外面上に着座するまで、開口３２６ａ，３２６ｂ内に受け入れられるようになっている。カプセル３４０の内側に置かれた治療薬の化学的および／または物理的特性によって、治療薬は、好ましくは、固定具３６０ａ，３６０ｂを包囲し、釘３２０の他の内面および外面および／または手術部位に隣接する箇所に流れることになる。
【００５５】
カプセル４０，１４０，２４０，３４０内に含まれるこのような治療薬は、生物学的活性剤であってもよい。カプセル４０，１４０，２４０，３４０に用いられるのに適している活性剤の例として、成長因子、例えば、ビスフォスフォネート、形質変換成長因子、線維芽細胞成長因子、血小板由来成長因子、上皮成長因子、結合組織活性化ペプチド、骨形成因子、およびこのような成長因子の生物学的活性類似物、断片、および誘導物が挙げられる。
【００５６】
生物学的活性剤に加えて、多数の医薬品が、当技術分野において知られており、カプセルに用いられるのに適している。「医薬品」という用語は、制限されないが、薬剤、ビタミン、ミネラル補給食品、疾患または病気の治療、予防、診断、養生、または緩和に用いられる物質、体の構造または機能に作用する物質、または所定の生理学的環境内に置かれた後に生物学的に活性またはより活性になるプロドラッグが挙げられる。
【００５７】
有用な医薬品の一般的なカテゴリーの非制限的な例として、以下の治療カテゴリー：タンパク質同化剤、製酸剤、抗喘息剤、抗凝固剤、抗痙攣剤、下痢止め剤、抗感染剤、抗炎症剤、制吐剤、および鎮痛剤が挙げられる。
【００５８】
また、治療薬は、ＡＣＥ阻害薬、アルカロイド、タンパク質同化薬、鎮痛剤、制酸薬、抗アレルギー剤、抗アルツハイマー病薬、抗狭心症薬、抗不安薬、抗不整脈薬、抗不整脈薬、抗喘息薬、抗菌剤、抗双極性鬱病薬、抗真菌薬、抗生物質、抗コレステロール薬、抗凝血薬、抗痙攣薬、抗凝固薬、抗鬱薬、下痢止め調剤、抗嘔吐薬、抗ヒスタミン薬、抗高血糖薬、抗高血圧薬、抗性的不能薬、抗感染薬、抗炎症薬、抗脂質薬、抗躁薬、抗片頭痛薬、制嘔吐薬、抗癌薬、抗肥満薬、抗寄生虫薬、抗パーキンソン薬、抗精神病薬、解熱薬、抗痙攣薬、抗卒中薬、抗血栓薬、抗甲状腺調剤、抗癌薬、鎮咳薬、抗潰瘍薬、抗尿酸血症剤、抗ウイルス剤、抗不安薬、食欲刺激剤、食欲抑制薬、自己免疫疾患薬、バルビーツール剤、ベータ遮断薬、血糖低下薬、気管支拡張薬、心血管治療薬、脳血管拡張薬、キレート剤、コレシストキニン拮抗薬、化学療法薬、コレストロール低下薬、認知活性剤、認知促進剤、避妊薬、冠状動脈拡張剤、鎮咳剤、充血緩和剤、脱臭剤、皮膚科用薬物、糖尿病薬、利尿剤、皮膚軟化剤、酵素、赤血球生成剤、去痰薬、妊娠促進薬、抗真菌薬、胃腸薬、成長調整剤、抗頭痛薬、抗群発頭痛薬、ホルモン補充薬、血糖上昇剤、催眠薬、血糖降下薬、イオン交換樹脂、便秘薬、片頭痛治療薬、（投与された後に活性またはより活性になる）ミネラル補助食品、粘液溶解薬、麻酔薬、神経遮断薬、神経筋薬剤、非ステロイド系抗炎症薬（ＮＳＡＩＤｓ）、栄養添加物、末梢血管拡張剤、ポリペプチド、プロスタグランジン、向精神薬、レニン阻害剤、呼吸刺激薬、抗脚不穏症候群薬、鎮静剤、ステロイド、興奮剤、交感神経遮断薬、甲状腺用調剤、トランキライザー、子宮弛緩薬、膣用調剤、血管収縮剤、血管拡張剤、めまい薬、ビタミン、創傷治療薬、およびこれらの組合せからなる群から選択された薬剤クラスの一部をなす少なくとも１つの薬物であってもよい。
【００５９】
上記の少なくとも一種の薬剤は、アセタゾールアミド、アセトアミノフェン、酢酸、アセトヘキサミド、アセチルサリチル酸、緩衝アセチルサリチル酸、アクリバスチン、アシクロビル、アルブテロール、硫酸アルブテロール、アルコール、アルファキサロン、アルカリホスファターゼ、アラントイン、アロエ、アルプロスタジル、酢酸アルミニウム、炭酸アルミニウム、クロルヒドロキシアルミニウム、水酸化アルミニウム、アルプラゾラム、アミノ酸、アミノ安息香酸、ベシル酸アムロジビン、アモキシシリン、アンピシリン、アムサクリン、アムサログ、アネトール、アポモルヒネ、アスコルビン酸、アスパルテーム、アスピリン、アステミゾール、アテノロール、アトロバスタチンカルシウム、アゼチジン、マレイン酸アザチジン、アジスロマイシン、バシトラシン、ペルーバルサム、ＢＣＮＵ（カルムスチン）、塩酸ベカムピシリン、ジプロピオン酸ベクロメタゾン、塩化ベンザルコニウム、ベンゾカイン、安息香酸、ベンゾフェノン、過酸化ベンゾイル、ベンズキナミド、塩酸ベンズキナミド、ベタメタゾン、ベタネコール、ビオチン、ビサコジル、次サリチル酸ビスマス、酢酸ボミル、ブロモフェニラミン、マレイン酸ブロモフェニラミン、塩酸ブプロピオン、ブスピロン、カフェイン、カラミン、炭酸カルシウム、カルシウムカシネート、水酸化カルシウム、樟脳、カプトプリル、カルベニシリンインダニルナトリウム、カルベジロール、カスカラサグラダ、ひまし油、セファクロル、セファドロキシル、セリコキシブ、セファレキシン、セントリジン、塩酸セントリジン、セチリジン、セチルアルコール、塩化セチルピリジニウム、キレート化ミネラル、クロラムブシル、クロラムフェニコール、塩酸クロルシクリジン、クロルジアゼポキシド、グルコン酸クロルヘキシジン、クロロキシレノール、クロロペントスタチン、クロルフェニラミン、マレイン酸クロルフェニラミン、タンニン酸クロルフェニラミン、クロルプロマジン、クロルプロパミド、クロルサリドン、クロルゾールアミド、コレスチルアミン樹脂、酒石酸水素コリン、軟骨形成刺激タンパク質、シメチジン、塩酸シメチジン、塩酸シンナメドリン、シンナリジン、シサプリド、シタロプラム、クエン酸、クラリスロマイシン、クレマスチン、フマル酸クレマスチン、クロニジン、塩酸クロニジン、クロルフィブラート、カカオバター、タラ肝油、コデイン、フマル酸コデイン、リン酸コデイン、酢酸コルチゾン、コトリモキサゾール、塩酸シプロフロキサシン、シアノコバラミン、塩酸シクリジン、シプロヘプタジン、塩酸シプロヘプタジン、デキサメチルフェニデート、ダントロン、マレイン酸デキスブロモフェニラミン、デキストロメトルファン、ハロゲン化水素酸デキストロメトルファン、ジアゼパム、ジブカイン、ジクロラルフェナゾン、ジクロフェン、ジクロフェンのアルカリ金属塩、ジクロフェナクナトリウム、ジクマロール、ジギトキシン、ジゴキシン、ジヒドロエルゴタミン、ジヒドロエルゴタミンの水素化物、ジヒドロエルゴタミンのメシル酸塩、ジルチアゼム、ディメボン、ジメンヒドリナート、ジメチコーン、ジオキシベンゾン、ジフェンヒドラミン、クエン酸ジフェンヒドラミン、塩酸ジフェンヒドラミン、ジバルプロエクス、ジバルプロエクスのアルカリ金属塩、ドクサートカルシウム、ドクサートカリウム、ドクサートナトリウム、ドネペジル、ドキサゾシン、ドキセピン、塩酸ドキセピン、ドキシサイクリン水和物、コハク酸ドキシラミン、ドロナビノール、エキノマイシン、エコナゾール、エファロキサン、エナラプリル、エナラプリル酸、エノキサシン、エフェドリン、酒石酸水素エピネフリン、エルゴタミン、酒石酸エルゴタミン、エリスロマイシン、エリスロポイエチン、エストロピペート、エチニールエストラジオール、エトミデート、ユーカリプトール、ファモチジン、フェノプロフェン、フェノプロフェンの金属塩、フマル酸第１鉄、グルコン酸第１鉄、硫酸第１鉄、フルコナゾル、フルオキセチン、フオキシメステロン、葉酸、フォスフェニトイン、５−フルオロウラシル（５−ＦＵ）、フルオキセチン、塩酸フルオキセチン、フルルビプロフェン、フルスピリレン、フロセミド、ガバペンタン、ゲンタマイシン、ジェムフィブロジル、グリピザイド、グリセリン、ステアリン酸グリセリル、グラニセトロン、塩酸グラニセトロン、グリセオフルビン、グアフェネシン、ヘキシルレソルシノール、ヒドロクロロチアジド、ヒドロコドン、ヒドロコドンの酒石酸塩、ヒドロコルチゾン、酢酸ヒドロコルチゾン、８−硫酸ヒドロキシキノリン、ヒドロキシジン、パモ酸ヒドロキシジン、ヒドロキジンの塩酸塩、イブプロフェン、インドメタシン、イノシトール、インシュリン、ヨウ素、イペカック、鉄、イロキシカム、イソソルビド、イソソルビドの一硝酸塩および二硝酸塩、イソキシカム、カオリン、ケタミン、ケタンセリン、ケトプロフェン、乳酸、ラノリン、Ｌ−ドーパ、レシチン、酢酸リュープロリド、レボカバスチン、リドカイン、塩酸リドカイン、リフィノプリル、リオトリックス、リシノプリル、ロムスチン、ロペラミド、ロラタジン、ロバスタチン、炭酸マグネシウム、水酸化マグネシウム、サリチル酸マグネシウム、三ケイ酸マグネシウム、メクリジン、塩酸メクリジン、メフェナム酸、メクロフェナム酸、メクロフェナム酸ナトリウム、酢酸メドロキシプロゲステロン、メロキシカム、メマンチン、マンデル酸メテナミン、メントール、塩酸メペリジン、硫酸メタプロテレノール、メタンステノロン、メトスコポラミン、メトスコポラミンの硝酸塩、メトセルギド、マレイン酸メトセルギド、ニコチン酸メチル、サリチル酸メチル、メチルセルロース、メトスクシミド、１７−メチルテストステロン、メトクロプラミド、メトクロプラミドのハロゲン化物、メトクロプラミドの水和物、メトロニダゾール、塩酸メトロニダゾール、メトプロロール、酒石酸メトプロロール、ミアンセリン、硝酸ミコナゾール、鉱油、ミノサイクリン、ミノキシジル、ミオフラジン、モルヒネ、ナドロール、ナプロキセン、ナプロキセンのナトリウム塩、ナプロキセンのアルカリ金属塩、ニフェジピン、硫酸ネオマイシン、ナイアシン、ナイアシンアミド、ニコチン、ニコチンアミド、ニメスリド、ニトログリセリン、ノノキシノール−９、ノルエチンドロンおよびその酢酸塩、ニスタチン、オクトキシノール、オクトキシノール−９、オクチルジメチルＰＡＢＡ、メトキシケイ皮酸オクチル、オメガ−３ポリ不飽和脂肪酸、オメプラゾール、オンダンセトロン、塩酸オンダンセトロン、オクスフェンダゾール、オキソリニック酸、オキシベンゾン、オキシトリフィリン、パラアミノ安息香酸（ＰＡＢＡ）、パジメート−Ｏ、パラメタジオン、パロキセチン、ペンフルリドール、ペニシリンＧ、ペンタスタチン、ペパーミント油、４硝酸ペンタエリスリトール、ペントバルビタールナトリウム、パーフェナジン、硫酸フェネルジン、フェニンダミン、酒石酸フェニンダミン、マレイン酸フェニラミン、フェノバルビタール、フェノール、フェノールフタレイン、フェニレフリン、フェニレフリンのタンニン酸塩、フェニレフリンの塩酸塩、フェニルプロパノラミン、塩酸フェニルプロパノラミン、フェニロイン、ピルメノール、ピロキシカム、ピロキシカムの塩、硫酸ポリミシンＢ、塩化カリウム、硝酸カリウム、プラミペキソール、プラミラセチン、プラモキシン、塩酸プラモキシン、プラゼパム、プラゾシン、プレドニゾロン、塩酸プロカインアミド、プロカテロール、プロメタジン、塩酸プロメタジン、プロポキシフェン、塩酸プロポキシフェン、ナプシル酸、プロクロルペラジン、マレイン酸プロクロルペラジン、プロパノロール、塩酸プロパノロール、プロメタジン、塩酸プロメタジン、プロパノロール、プロスタサイクリン、プソイドエフェドリン、プソイドエフェドリンの硫酸塩、プソイドエフェドリンの塩酸塩、ピリドキシン、ピロラミン、ピロラミンの塩酸塩、ピロラミンのタンニン酸塩、クエチアピン、キナプリル、グルコン酸キニジン、硫酸キニジン、キネストロール、ラリトリン、ラミプリル、ラニチジン、レゾルシノール、レチノール、リボフラビン、リバスチグミン、ロシグリタゾン、サリチル酸、スコポラミン、セルトラリン、ゴマ油、サメ肝油、クエン酸シルデナフィル、シメチコン、重炭酸ナトリウム、クエン酸ナトリウム、フッ化ナトリウム、モノフルオロリン酸ナトリウム、スピラマイシン、スピロノラクトン、スクラルファート、スルファネトキシサゾール、スルファサラジン、硫黄、スルピリド、スマトリプタン、コハク酸スマトリプタン、タクリン、塩酸タクリン、テルコナゾール、テルフェナジン、テストステロン、テトラサイクリン、塩酸テトラサイクリン、テトラヒドロアミノアクリジン、テオフィリン、チアベンダゾール、チエチルペラジン、マレイン酸チエチルペラジン、チオペリドン、塩酸チオチキセン、チモロール、マレイン酸チモロール、トルメチン、トルナフテート、トピラマート、トラマドール、トレチノイン、トリアゾラム、トリメトレキセート、トリマゾシン、トリクロサン、トリメトベンズアミド、塩酸トリメトベンズアミド、トリペレナミン、塩酸トリペレナミン、塩酸トリポリジン、トロレアンドマイシン、ツブラゾール、ウンデシレン酸、バルデコキシブ、バンコマイシン、ベンラファキシン、塩酸ベラパミル、リン酸ビダリビン、ビラゾール、ビタミンＡ、ビタミンＣ、ビタミンＤ、ビタミンＢ１、ビタミンＢ２、ビタミンＢ３、ビタミンＢ４、ビタミンＢ５、ビタミンＢ６、ビタミンＢ７、ビタミンＢ９、ビタミンＢ１２、ビタミンＥ、ビタミンＫ、ウイッチヘーゼル、塩酸キシロメタゾリン、亜鉛、硫酸亜鉛、ウンデシレン酸亜鉛、ジプラシドン、ゾルピデム、その塩、およびこれらの組合せからなる群から選択されるものである。
【００６０】
さらに、他の実施形態では、前述した生物学的活性剤、医薬品、および薬剤がカプセル４０，１４０，２４０，３４０の内側に含まれると共に、接着材料がカプセル４０，１４０，２４０，３４０に含まれるようになっていてもよい。カプセル４０の内側に置かれた接着材料の化学的および／または物理的特性によって、いったんカプセルが、例えば、固定具によって突き刺されると、接着材料が最終的に硬化し、固定具６０ａ，６０ｂのような固定具を、例えば、釘２０に対して固定し、これによって、釘２０を患者の太腿骨の管内に固定することになる。好ましくは、いったん接着材料が硬化したなら、例えば、固定具６０ａ，６０ｂは、釘２０から離脱することが阻止される。また、硬化した接着剤は、釘２０の開口内における固定具の角度安定性にも役立つことになる。
【００６１】
本発明の接着剤の特性を調整するために、種々の添加物が、この接着剤内に含まれていてもよい。例えば、骨セメント、タンパク質、骨誘導材料および／または骨伝導材料、Ｘ線不透明化剤、支持または強化充填材料、結晶成長調整剤、粘性改良剤、細孔形成剤、および他の添加物、ならびにこれらの混合物が、本発明の範囲から逸脱することなく含まれていてもよい。
【００６２】
骨セメント内に含まれている複合物および機能材料の性質は、これまでに述べた成分に制限されるものではなく、むしろそれとは反対に、どのような他の適切な骨伝導材料、生体活性材料、生体不活性材料、または他の機能材料が、本発明に関連して用いられていてもよい。用いられる場合、これらの任意選択的な成分は、それらの意図されている目的に適するどのような量で含まれていてもよい。
【００６３】
いくつかの実施形態では、骨セメントは、骨誘導タンパク質を含んでいる。この骨誘導タンパク質として、骨形成を助長または誘発するのに有用などのようなタンパク質も考えられる。骨誘導タンパク質は、カルボキシル／カルシウムセメント系と共に用いられるのに特に適していると見なされている。何故なら、少なくとも多くの周知の骨誘導タンパク質の場合、このようなタンパク質は、アルカリｐＨで変性する可能性があるからである。
【００６４】
他の任意選択的な成分は、Ｘ線不透過性充填剤のような充填剤である。Ｘ線不透過性充填剤は、例えば、硫化バリウムまたは水酸化ビスマスのような適切なビスマス化合物、バリウム化合物、またはヨウ素化合物であるとよい。他の適切な充填剤として、バイオグラス、シリカ、アルミナ、二相リン酸カルシウム、ケイ酸カルシウム、硫酸カルシウム、粒状リン酸カルシウムセラミック、ポートランドセメント、などが挙げられる。
【００６５】
本明細書において特定の実施形態を参照して本発明を説明してきたが、これらの実施形態は、本発明の原理および用途の単なる例示にすぎないことを理解されたい。従って、例示的な実施形態に対して多くの修正がなされてもよいし、添付の特許請求の範囲に記載されている本発明の精神および範囲から逸脱することなく、他の構成が考案されてもよいことを理解されたい。
【図１】
2011125719.tif 000003
【図２】
2011125719.tif 000004
【図３】
2011125719.tif 000005
【図４】
2011125719.tif 000006
【図４Ａ】
2011125719.tif 000007
【図５】
2011125719.tif 000008
【図６】
2011125719.tif 000009
【図７】
2011125719.tif 000010
【図８】
2011125719.tif 000011
【図８Ａ】
2011125719.tif 000012
【図９】
2011125719.tif 000013
【図１０】
2011125719.tif 000014
【図１１】
2011125719.tif 000015
【図１２】
2011125719.tif 000016
【図１３】
2011125719.tif 000017
【図１４】
2011125719.tif 000018
【図１５】
2011125719.tif 000019
【外国語明細書】
2011125719.tif 000020
2011125719.tif 000021
2011125719.tif 000022
2011125719.tif 000023
2011125719.tif 000024
2011125719.tif 000025
2011125719.tif 000026
2011125719.tif 000027
2011125719.tif 000028
2011125719.tif 000029
2011125719.tif 000030
2011125719.tif 000031
2011125719.tif 000032
2011125719.tif 000033
2011125719.tif 000034
2011125719.tif 000035
2011125719.tif 000036
2011125719.tif 000037
2011125719.tif 000038
2011125719.tif 000039
2011125719.tif 000040
2011125719.tif 000041
2011125719.tif 000042
2011125719.tif 000043
2011125719.tif 000044
2011125719.tif 000045
2011125719.tif 000046
2011125719.tif 000047
2011125719.tif 000048
2011125719.tif 000049
2011125719.tif 000050
2011125719.tif 000051
2011125719.tif 000052
2011125719.tif 000053
2011125719.tif 000054
2011125719.tif 000055
2011125719.tif 000056
2011125719.tif 000057